(57)【要約】【課題】  容器体内垂設のシリンダ内から、容器体口頸部へ嵌合させた装着筒上端の内向きフランジ内を通って、上端にノズル付き押下げヘッドを有する作動部材を上方付勢させて起立するポンプ式液体噴出容器において、該噴出容器の不正使用を除去すると共に、押下げヘッドの押下げ面を大径化してその押下げが容易とした。【解決手段】  上記押下げヘッド15の上端部へ、該押下げヘッドよりも大外径のキャップ状部22を回動可能に嵌合させると共に該キャップ状部からノズル基端部を挿通するノズル挿通孔24付きの脚板25を下方へ突設して脚板下端を内向きフランジ５上へ載置するカバー21を設け、ノズル挿通孔24は嘴状部23をノズル18側方へ移動させることが可能とし、かつノズル挿通孔24下方の脚板部分へ、下方脚板部分除去用の弱化線29を横設した。【選択図】  図１
2006282197.tif 000002
【特許請求の範囲】
【請求項１】
容器体内へ垂設されたシリンダ内から容器体口頸部外面へ嵌合させた装着筒上端の内向きフランジ内を通って、上端にノズル付き押下げヘッドを有する作動部材を上方付勢させて起立するポンプ式液体噴出容器において、
上記押下げヘッド15の上端部へ、該押下げヘッドよりも大外径のキャップ状部22を回動可能に嵌合させると共に、
該キャップ状部22の前部から、ノズル基端部を挿通するノズル挿通孔24付きの脚板25を下方へ、それぞれ突設して脚板25下端を上記内向きフランジ５上へ載置するカバー21を設け、
上記ノズル挿通孔24の側方には逃げ代孔部24a を設けて該逃げ代孔内へのノズル基端移動で嘴状部23をノズル側方へ移動可能となし、又ノズル挿通孔下方の脚板部分へ弱化線29を横設して該弱化線よりも下方の脚板部分の除去が可能に形成した
ことを特徴とするポンプ式液体噴出容器。
【請求項２】
上記キャップ状部22の前部から、ノズル18の上面を覆い、かつ前端面を閉塞する嘴状部23を前方へ突出させた
ことを特徴とする請求項１記載のポンプ式液体噴出容器。
【請求項３】
上記キャップ状部22の前部から、ノズル18の上面を覆い、かつ前面を覆う嘴状部23を前方へ突出させた
ことを特徴とする、請求項１記載のポンプ式液体噴出容器。
【請求項４】
上記作動部材を、シリンダ内から起立するステム14上部へ押下げヘッド15から垂設したステム嵌合筒16を嵌着させて形成しておき、該ステム嵌合筒16の下端部を、上記装着筒３上端の内向きフランジ５内周から起立するガイド筒６の上端部内へ下降可能に嵌合させ、該ガイド筒内面とステム嵌合筒とのいずれか一方に突条19を、他方に該突条を摺動自在に嵌合させた溝７を、それぞれ縦設した
ことを特徴とする、請求項１、２又は３記載のポンプ式液体噴出容器。
【請求項５】
上記脚板25、ステム嵌合筒16、ガイド筒６の各外面露出部分の少なくとも主要部を共にシュリンクフィルム31で覆い、熱収縮させて個別の移動が不能に抱持させた
ことを特徴とする請求項４記載のポンプ式液体噴出容器。
【発明の詳細な説明】
【技術分野】
【０００１】
本発明は容器体上方へノズル付き押下げヘッドを起立し、該ヘッドの上下動で容器体内液体が上記ノズルから噴出可能とした、ポンプ式の液体噴出容器に関する。
【背景技術】
【０００２】
この種のポンプ式液体噴出容器は、通常容器体内へ垂設されたシリンダ内から、容器体口頸部外面へ螺合させた装着筒上端の内向きフランジのフランジ孔内を通って、上端にノズル付き押下げヘッドを嵌着させた作動部材を上方付勢させて起立し、その押下げヘッドを介して作動部材を押下げることでシリンダ内液体をノズルから噴出し、又作動部材の上昇で容器体内液体をシリンダ内へ吸上げ可能としている。
【０００３】
このようなポンプ式液体噴出容器のうち、上記ノズルの基端上面へ、該ノズルの上面および先端開口面を覆う嘴状部の基端を枢着し、該枢着部を中心とする水平方向での回動によりノズル先端面を開閉して、その閉塞によりノズル孔内が乾燥してノズル孔内に残った液体が固化しないよう設けたものが知られている（特許文献１）。
【特許文献１】特開２００４−８２０５２号公報
【発明の開示】
【発明が解決しようとする課題】
【０００４】
上記従来例は、輸送時等における嵩ばりを防止するために押下げヘッドを付勢に抗し押下げてシリンダ上端部内面へ固着させた雌ねじ筒へ押下げヘッドの下方部分を螺合できるよう設けているから、そのように螺合させておくことで、起立している押下げヘッドが不用意に押下げられて液体噴出するおそれはないが、上記のような押下げ状態確保手段を有しない場合は押下げヘッドが上方へ突出させたままであり、この場合はそのヘッド押下げによりノズルから液体を噴出することとなる。又一般に押下げヘッドの上端面が形成する押下げ面が小さく、そのヘッドを押しづらかった。
【０００５】
本発明はそのような欠点を除去すると共に上記嘴状部の回動範囲も規整できるよう設けたものである。
【課題を解決するための手段】
【０００６】
第１の手段として容器体内へ垂設されたシリンダ内から容器体口頸部外面へ嵌合させた装着筒上端の内向きフランジ内を通って、上端にノズル付き押下げヘッドを有する作動部材を上方付勢させて起立するポンプ式液体噴出容器において、
上記押下げヘッド15の上端部へ、該押下げヘッドよりも大外径のキャップ状部22を回動可能に嵌合させると共に、
該キャップ状部22の前部から、ノズル基端部を挿通するノズル挿通孔24付きの脚板25を下方へ、それぞれ突設して脚板25下端を上記内向きフランジ５上へ載置するカバー21を設け、  
上記ノズル挿通孔24の側方には逃げ代孔部24a を設けて該逃げ代孔内へのノズル基端移動で嘴状部23をノズル側方へ移動可能となし、又ノズル挿通孔下方の脚板部分へ弱化線29を横設して該弱化線よりも下方の脚板部分の除去が可能に形成した。
【０００７】
第２の手段として、上記第１の手段を有すると共に上記キャップ状部22の前部から、ノズル18の上面を覆い、かつ前端面を閉塞する嘴状部23を前方へ突出させた。
【０００８】
第３の手段として、上記第１の手段を有すると共に上記キャップ状部22の前部から、ノズル18の上面を覆い、かつ前面を覆う嘴状部23を前方へ突出させた。
【０００９】
第４の手段として、上記第１、第２又は第３の手段を有すると共に上記作動部材を、シリンダ内から起立するステム14上部へ押下げヘッド15から垂設したステム嵌合筒16を嵌着させて形成しておき、該ステム嵌合筒16の下端部を、上記装着筒３上端の内向きフランジ５内周から起立するガイド筒６の上端部内へ下降可能に嵌合させ、該ガイド筒内面とステム嵌合筒とのいずれか一方に突条19を、他方に該突条を摺動自在に嵌合させた溝７を、それぞれ縦設した。
【００１０】
第５の手段として、上記第４の手段を有し、かつ上記脚板25、ステム嵌合筒16、ガイド筒６の各外面露出部分の少なくとも主要部を共にシュリンクフィルム31で覆い、熱収縮させて個別の移動が不能に包持させた。
【発明の効果】
【００１１】
請求項１記載の構成とすることで、脚板25がキャップ状部22の下降を阻止して不用意な押下げによる液体噴出を防止でき、又弱化線29破断によりその弱化線下方の脚板部分を除去できるから、該除去後は押下げヘッド15に対するキャップ状部22回動でノズル孔前面を開口でき、又そのキャップ状部回動に際しては、ノズル挿通孔24側方に連続させて逃げ代孔部24a が設けてあるから、ノズル18に対する嘴状部23の回動範囲を一定の範囲に止めることが出来、キャップ状部22は押下げヘッド15よりも大外径としたから押下げ面を大径化でき、従来のようにその押下げ面が小さいためにその押下げが難かしくなることがない。    
【００１２】
請求項２のようにすることで、ノズル上面への埃等の付着を防止できると共にノズル前端面閉塞でノズル孔内に残った噴出液体乾燥固化による目塞りを防止できる。
【００１３】
請求項３のようにすることで、ノズル上面およびノズル前面への埃等の付着を防止できる。
【００１４】
請求項４のようにすることで、押下げヘッド15は容器体口頸部へ嵌合させた装着筒３に対して回動することがなく、よってキャップ状部22回動に際して押下げヘッド15が共に回動することがない。
【００１５】
請求項５のようにすることで、熱収縮されたシュリンクフィルム31を除去しない限り弱化線29下方の脚板部分および、カバー21の除去は不能であり、よっていわゆるバージン機能により消費者の安心感を得ることが出来る。
【発明を実施するための最良の形態】
【００１６】
以下図面について説明すると、１は胴部上端から肩部を介して口頸部２を起立する容器体、３はその口頸部外面へ周壁４を螺合させ、該周壁上端から内向きフランジ５を介してガイド筒６を起立する装着筒である。ガイド筒６の前部内面へは上端から下端まで溝７を縦設している。11は容器体口頸部の上端面上へ、パッキングを介して上端の外向きフランジ12を載置させて容器体内へ垂下するシリンダで、該シリンダ下端からは吸上げパイプ13を垂下する。
【００１７】
上記シリンダ内からは、下方に筒状ピストンを有する、ステム14が上方付勢されて、又上記内向きフランジのフランジ孔およびガイド筒６内を通して起立され、そのステム上端に押下げヘッド15から垂下されたステム嵌合筒16を嵌合させて、それ等筒状ピストン、ステム、押下げヘッドで作動部材を形成している。押下げヘッド15の頂板17外周は外向きフランジ状に外方へ突出させており、その頂板外周のやや下方前部のステム嵌合筒部分からノズル18を前方突出させている。ノズル下方のステム嵌合筒前面へは既述溝７内を上下動させる突条19を縦設している。尚該突条19と既述溝７とは逆に設けてもよい。
【００１８】
ノズル18の前端面を覆う端板23a は、ノズル前端面を密閉させてもよく、又その前端面と端板23a との間に多少の間隙を設けたものでもよく、ノズル前端面閉塞でノズル孔内に残った付着液体の乾燥を防止し、又間隙を設けて覆うことで、噴出液体で濡れる等したノズル前端面への埃等の付着を防止する。
【００１９】
21は上記押下げヘッド15が、不用意に押下げられることを防止するカバーで、押下げヘッド15の上端部へ回動可能に嵌合させた、押下げヘッドよりも大外径のキャップ状部22前面からノズル18の上面と左右一方の側面および前端面とを覆う嘴状部23を突出すると共にそのキャップ状部の前部下面からノズル挿通孔24付きの脚板25を垂下し、その下端面を既述装着筒３の内向きフランジ５上へ載置させている。尚上記嘴状部の上面からは指掛け部26を起立させるとよい。
【００２０】
キャップ状部22の頂板27中央部からは支持杆を、又頂板外周寄り部分からは下端内縁に係合突条を有する短筒28を、それぞれ垂下させ、短筒28は押下げヘッド頂板17の外面へ嵌合させ係合突条をヘッド頂板の外周部下面へ係合させている。
【００２１】
ノズル挿通孔24は、図２が示すように、そのノズル挿通孔の一端へ、ノズル18の基端の一方外面を当接させた状態で、ノズル基端部の他方外面とノズル挿通孔の他端との間に適当巾の間隙が形成されるよう設け、該間隙を押下げヘッドに対するカバー回動時のノズルの逃げ代孔部24a としている。
【００２２】
上記ノズル挿通孔および逃げ代孔部24a 下方の脚板部分には、破断用の弱化線29を横設して該弱化線下方の脚板部分を除去した後、図３のようにカバー21を回してノズル18から嘴状部23を外せばキャップ状部22を介して作動部材を押下げ、ノズル18から液体噴出させることが可能としている。
【００２３】
上記構成において、嘴状部23下方の脚板部分、押下げヘッド15のステム嵌合筒16露出部分、更にガイド筒６の外方露出部分外面へは、図１、図２が示すように、シュリンクフィルム31を巻付け、覆合させて該覆合させたシュリンクフィルムを熱収縮させて上記覆合された各部分が個別に移動しないよう一体的に抱持させるとよい。
【００２４】
上記状態で容器の輸送等を行い、販売のための展示を行うが、消費者は使用に際してまずシュリンク包装を除去し、次いで弱化線29下方の脚板部分を除去する。該状態からは図３が示すようにキャップ状部22を回してノズル側方へ嘴状部23を移動させ、該状態でキャップ状部22を介して押下げヘッド15を付勢に抗して押下げる。使用後は再びキャップ状部22を元に戻してノズル18の上面および前端面を覆合させる。
【図面の簡単な説明】
【００２５】
【図１】本発明容器の半断面図である。
【図２】図１容器の斜視図である。
【図３】ノズル上方から嘴状部を外し、液体噴出操作が可能とした状態で示す斜視図である。
【符号の説明】
【００２６】
１  容器体                  ３  装着筒
６  ガイド筒                ７  溝
11  シリンダ                14  ステム
15  押下げヘッド            16  ステム嵌合筒
18  ノズル                  21  カバー
22  キャップ状部            23  嘴状部
24  ノズル挿通孔            24a 逃げ代孔部
25  脚板                    29  弱化線
31  シュリンクフィルム
【図１】
2006282197.tif 000003
【図２】
2006282197.tif 000004
【図３】
2006282197.tif 000005